(57)【特許請求の範囲】
【請求項１】
可撓性を有する材料により有底筒状に形成された容器本体と、その容器本体の上部開口部に嵌合される蓋体とから構成され、前記蓋体の上部に複数の櫛歯からなる櫛部を設けるとともに、その櫛歯に吐出孔を穿設し、容器本体内に充填された液状、クリーム状又はペースト状の内容物を吐出孔から吐出するように構成した櫛付き容器であって、
前記蓋体の容器本体側に首部を設けるとともに、その首部の外面には、滑らかに湾曲しながら膨出するガイド面を形成し、前記内容物の液だれをガイド面に沿ってガイドしながら頭髪に塗布するように構成した櫛付き容器。
【請求項２】
前記櫛部の両端側に位置する首部に、くびれを形成することによって絞り部を設けた請求項１に記載の櫛付き容器。
【請求項３】
前記各櫛歯に吐出孔を有する蓋体を一体形成した請求項１又は請求項２に記載の櫛付き容器。
【発明の詳細な説明】
【０００１】
【発明の属する技術分野】
この発明は、例えば、酸化染毛剤、ヘアマニキュア（酸性染毛料）、脱色剤等の液状、クリーム状又はペースト状の内容物を充填して収容するとともに、その内容物を頭髪に直接塗布するために使用される櫛付き容器に関するものである。
【０００２】
【従来の技術】
従来より、この種の櫛付き容器としては、特開平１０−１３７０２９号公報に開示されている櫛付きキャップが知られている。この櫛付きキャップは、スクイズ性を有する容器体の口筒部に、キャップ本体を組付けることによって構成されている。前記キャップ本体は、その上端に組付け孔が穿設された頂板が設けられているうえ、その頂板の下方には内容液の“溜まり”部分を形成するための起立筒が設けられている。さらに、前記頂板上には、ベース板に嵌着筒片と櫛歯片との組合せ物が立設された櫛歯体が、各嵌着筒片を組付け孔に密嵌着させることによって組付けられている。
【０００３】
そして、容器体の胴部を指で押圧することによって、各櫛歯片間に内容液を均等に注出させることができることから、頭髪に対して内容液を自然で良好に塗布することができるようになっている。加えて、この櫛付きキャップは、キャップ本体に櫛歯片が形成されていることから、頭髪に対して櫛機能を無理なく適正に発揮させることができるように構成されている。
【０００４】
【発明が解決しようとする課題】
ところが、前記従来の櫛付きキャップでは、キャップ本体の起立筒の外側面が、上方ほど僅かに拡がるテーパ形状に形成されていたことから、内容液を頭髪に塗布する際には、注出された内容液の一部がその外側面に付着されて溜まってしまっていた。そして、この頭髪に塗布されずに溜められた内容液を放置した場合には、固化したりしてその後の取り扱いが非常に不便であった。
【０００５】
一方、この櫛付きキャップにおける前記の不具合を防止するために、外側面に付着されて溜まった内容液を、主として布やティッシュペーパー等で拭き取ることによって廃棄していた。このとき、廃棄処分された内容液が無駄となってしまっていたことから経済的ではなかった。
【０００６】
この発明は、上記のような従来技術に存在する問題点に着目してなされたものである。その目的とするところは、内容物が蓋体の外面に液だれして溜まるのを防止することができ、内容物を有効に利用して無駄を少なくすることができる櫛付き容器を提供することにある。
【０００７】
【課題を解決するための手段】
上記の目的を達成するために、請求項１に記載の発明の櫛付き容器は、可撓性を有する材料により有底筒状に形成された容器本体と、その容器本体の上部開口部に嵌合される蓋体とから構成され、前記蓋体の上部に複数の櫛歯からなる櫛部を設けるとともに、その櫛歯に吐出孔を穿設し、容器本体内に充填された液状、クリーム状又はペースト状の内容物を吐出孔から吐出するように構成した櫛付き容器であって、前記蓋体の容器本体側に首部を設けるとともに、その首部の外面には、滑らかに湾曲しながら膨出するガイド面を形成し、前記内容物の液だれをガイド面に沿ってガイドしながら頭髪に塗布するように構成したものである。
【０００８】
請求項２に記載の発明の櫛付き容器は、請求項１に記載の発明において、前記櫛部の両端側に位置する首部に、くびれを形成することによって絞り部を設けたものである。
【０００９】
請求項３に記載の発明の櫛付き容器は、請求項１又は請求項２に記載の発明において、前記各櫛歯に吐出孔を有する蓋体を一体形成したものである。
【００１０】
【発明の実施の形態】
以下、この発明の実施形態を、図面に基づいて詳細に説明する。
図１に示すように、櫛付き容器１１は、可撓性を有する合成樹脂によって有底円筒状に形成された容器本体１２と、その容器本体１２の上部開口部に嵌合される合成樹脂製の蓋体１３とから構成されている。また、この容器本体１２内には、酸化染毛剤、ヘアマニキュア、脱色剤等の液状、クリーム状又はペースト状の内容物４１が収容されるようになっている。
【００１１】
容器本体１２胴部の一側部には、バーコード状に多数の凹凸を形成することによって滑り止め部１４が設けられ、容器本体１２を把持する際の滑り止めの役割をすることができるとともに、目視しなくても櫛付き容器１１の向きを容易に把握することができるように構成されている。また、図３（ａ）、（ｂ）に示すように、容器本体１２の上部開口部を構成する開口筒１５は、容器本体１２の上端部を縮径することによって円筒状に形成され、その外周面には雄ネジ部１６が設けられている。
【００１２】
蓋体１３の下部には、ほぼ円筒状に形成された嵌合筒１７が配設されている。この嵌合筒１７の内周面には、前記開口筒１５の雄ネジ部１６と螺合するための雌ネジ部１８が設けられている。図２（ａ）から（ｃ）に示すように、嵌合筒１７の外周面には、所定間隔をおいて複数の滑り止め突条１９が上下方向に延びるように突設され、容器本体１２に蓋体１３を螺合させる際に滑り止めの役割をすることができるようになっている。
【００１３】
図１に示すように、嵌合筒１７の上方には首部２０が設けられ、その首部２０の上方には複数の櫛歯２１から構成された櫛部２２が設けられている。図１及び図２（ａ）に示すように、櫛部２２の両端側に位置する首部２０には、嵌合筒１７及び櫛部２２の端部の外面よりも内側にくびれるように形成された絞り部２３が設けられている。また、図１及び図２（ｂ）に示すように、櫛部２２の両側に位置する首部２０の外面は、滑らかに湾曲しながら膨出するように形成されたガイド面２４となっている。
【００１４】
一方、図３（ａ）、（ｂ）に示すように、首部２０の内側は中空に形成され、容器本体１２内の内容物４１を櫛部２２に供給するための供給空間２５となっている。また、この供給空間２５の下端部には、円筒状に形成された嵌合突部２６が垂下され、容器本体１２に蓋体１３を螺着させたとき、容器本体１２の開口筒１５の上端に内嵌されるようになっている。
【００１５】
図１及び図２（ａ）から（ｃ）に示すように、櫛部２２は、ほぼ三角板状に形成された１０枚の櫛歯２１から構成され、これら各櫛歯２１は前記両ガイド面２４に挟まれた首部２０の上面から上方に突設されている。さらに、各櫛歯２１は櫛部２２の長さ方向に対し、同一の間隔をおいて一列に並んで配設されている。
【００１６】
なお、この隣接する櫛歯２１間の間隔としては、内容物４１の頭髪４２へのなじみとのびを良好にするために、好ましくは３．０〜５．０ｍｍ、より好ましくは３．５〜４．５ｍｍ、さらに好ましくは３．７〜４．３ｍｍとするとよい。この櫛歯２１間の間隔が３．０ｍｍ未満の場合には、櫛歯２１と頭髪４２とが絡まりやすくなること等から、コーミングする際の頭髪４２への負荷が大きくなり、頭髪４２を傷めてしまうおそれがある。逆に、櫛歯２１間の間隔が５．０ｍｍを越える場合には、髪をすくときの抵抗が少ないため、コーミングが適切に行われているかどうかが分かり難くなってしまう。
【００１７】
図１及び図３（ａ）に示すように、各櫛歯２１の先端部には、円孔状の吐出孔２７が横方向に穿設されている。さらに、図３（ａ）に示すように、中央側に位置する６枚の櫛歯２１には、円孔状の供給孔２８が前記供給空間２５から吐出孔２７にかけて上下方向に延びるように穿設され、供給空間２５から吐出孔２７に至る内容物４１の供給路を形成している。
【００１８】
次に、櫛付き容器１１を構成する蓋体１３の製造方法について説明する。
実施形態の櫛付き容器１１を構成する蓋体１３は、射出成形法により一体成形することによって製造される。すなわち、図示しないが、射出成形用の金型は、固定型、可動型、サイドドローピン、ゲート等によって構成され、これら固定型と可動型との型割り面（ＰＬ面）には、蓋体１３の形状をなすキャビティが形成されている。また、蓋体１３の吐出孔２７は、丸棒状に形成されたサイドドローピンによって形成されるようになっている。
【００１９】
そして、蓋体１３を成形する際には、サイドドローピンを金型内に配置した状態で固定型と可動型とを型締めし、ゲートから加熱溶融した合成樹脂をキャビティ内に射出する。その後、金型及び合成樹脂を冷却した後、サイドドローピンをスライドさせて引き抜き、固定型と可動型とを型開きすることによって、目的とする蓋体１３を製造することができる。
【００２０】
次に、上記櫛付き容器１１の作用について説明する。
さて、上記のように構成された櫛付き容器１１を用いて頭髪４２を染色する場合には、まず、蓋体１３を容器本体１２と分離した状態で、容器本体１２内に酸化染毛剤、ヘアマニキュア等の内容物４１を注入する。続いて、蓋体１３の嵌合筒１７を容器本体１２の開口筒１５に螺合させた後、嵌合筒１７の回動が止まるまで螺進させ、蓋体１３を容器本体１２に嵌合させる。このとき、図３（ａ）及び（ｂ）に示されるように、蓋体１３の嵌合突部２６と嵌合筒１７の上端部とによって、容器本体１２と蓋体１３との隙間が閉鎖され、内容物４１がその部分から漏れ出すのが防止される。
【００２１】
次に、容器本体１２の胴部を指で把持しながら押圧し、内容物４１を吐出孔２７から吐出させつつ、櫛歯２１により頭髪４２をコーミングすることによって、頭髪４２の表面に内容物４１を塗布することができる。このとき、吐出孔２７から吐出された内容物４１は、櫛歯２１の外面を伝って、そこに摺接されている頭髪４２の表面に塗布される。
【００２２】
さらに、同じ部位の頭髪４２を複数回コーミングすることによって、頭髪４２に付着された内容物４１が櫛歯２１の外面、首部２０の上面及びガイド面２４に付着され、その付着された内容物４１が再度頭髪４２の表面に拡散しながら塗布される。さらにこのとき、首部２０の上面及びガイド面２４に付着された内容物４１は、図１及び図２（ｃ）に矢印で示されるように、ガイド面２４に沿って拡散されながら、図４に略示されるように、それらの面に摺接されている頭髪４２の表面に再度塗布される。
【００２３】
従って、この櫛付き容器１１は、蓋体１３を構成する櫛歯２１の外面、首部２０の上面及びガイド面２４に摺接された頭髪４２に対して、内容物４１を様々な方向から同時に塗布することができることから、頭髪４２の表面全体に薄く均一に内容物４１を塗布することができる。さらに、内容物４１がガイド面２４に沿ってガイドされながら拡散されることから、首部２０の絞り部２３等に液だれして無駄になってしまうことがほとんどない。
【００２４】
一方、容器本体１２内の内容物４１が空になったときには、容器本体１２と蓋体１３とを分離した後、内容物４１を容器本体１２内に補充して、上記と同様に再度使用することができる。
【００２５】
上記実施形態によって発揮される効果について、以下に記載する。
・  実施形態の櫛付き容器１１は、櫛部２２の両側に位置する首部２０の外面に、滑らかに湾曲しながら膨出する一対のガイド面２４が形成されている。このため、内容物４１がそれらのガイド面２４に沿ってガイドされながら、頭髪４２に再度塗布され得ることから、内容物４１が絞り部２３等の蓋体１３の外面に液だれして溜まるのを容易に防止することができる。さらに、内容物４１を有効に利用して無駄を少なくすることができる。
【００２６】
また、同じ部位の頭髪４２を複数回コーミングすることによって、頭髪４２の表面に対し内容物４１を様々な方向から同時に塗布することができることから、内容物４１を容易に頭髪４２の表面全体に薄く均一に塗布することが可能である。さらにこのとき、前記従来の櫛付きキャップと比較して、少ないコーミング回数でも仕上がりを良好にすることが可能であることから、内容物４１を頭髪４２に塗布する際の作業効率を向上させることができる。
【００２７】
一方、前記従来の櫛付きキャップでは、キャップ本体の起立筒の上端面又はその肩部が、頭髪４２に塗布された内容物４１を掻き取ってしまっていたことから、内容物４１を頭髪４２に塗布する際の作業効率を著しく低下させていたうえ、内容物４１の無駄を助長していた。これに対し、この実施形態の櫛付き容器１１では、ガイド面２４と首部２０の上面との間が滑らかに連続して繋がるように形成されていることから、その部分が頭髪４２に塗布された内容物４１を掻き取るおそれがほとんどなく、前記のような作業効率の低下及び内容物４１の無駄を抑制することが可能である。
【００２８】
・  櫛部２２の両端側に位置する首部２０に、くびれを形成することによって絞り部２３が設けられていることから、内容物４１がガイド面２４の端縁から絞り部２３へと液だれし難い形状に形成されている。このため、内容物４１が蓋体１３の外面に液だれして溜まるのをより一層効果的に防止することができる。さらに、蓋体１３の製造に要する合成樹脂量を低減させることができるとともに、成形時のひけやエアー溜まりの形成等を効果的に抑制することが可能である。
【００２９】
・  各櫛歯２１に吐出孔２７を有する蓋体１３が一体形成されていることから、櫛付き容器１１の製造を容易かつ速やかに行うことができるとともに、製造コストを低減させることができる。
【００３０】
・  櫛部２２に１０枚の櫛歯２１が設けられていることから、適量の頭髪４２を一度に処理することができるとともに、作業効率をより一層向上させることが可能である。
【００３１】
・  隣接する櫛歯２１間の間隔が３．０〜５．０ｍｍに形成されていることから、内容物４１の頭髪４２へのなじみ及びのびを良好にすることができる。さらに、頭髪４２への負荷を小さくして、頭髪４２を傷め難くすることができるとともに、コーミング時の頭皮の感触を増大させることが可能である。
【００３２】
なお、本実施形態は、次のように変更して具体化することも可能である。
・  図５から図７に示されるように、首部２０の絞り部２３を省略するとともに、蓋体１３にガイド面２４を形成する代わりに、櫛部２２の下端部から嵌合筒１７の上面まで、３つの傾斜面３１によって膨出するように形成すること。或いは、前記蓋体１３にガイド面２４を形成する代わりに、櫛部２２の下端部から嵌合筒１７の上面まで、２つ又は４つ以上の傾斜面３１によって膨出するように形成すること。なお、この櫛付き容器１１の背面図は、図５に示される正面図と対称に描かれる。
【００３３】
このように構成した場合でも、内容物４１が蓋体１３の外面に液だれして溜まるのを防止することができ、内容物４１を有効に利用して無駄を少なくすることができる。
【００３４】
・  図８（ａ）に示されるように、蓋体１３のガイド面２４を、櫛部２２の下端部から嵌合筒１７の外周面まで、滑らかに湾曲しながら円弧状に膨出するように形成すること。或いは、図５（ａ）に二点鎖線で示されるように、蓋体１３のガイド面２４を、櫛部２２の下端部から嵌合筒１７の外周面まで、滑らかに湾曲しながら膨らみを増大させて円弧状に膨出するように形成すること。
【００３５】
・  図８（ｂ）に示されるように、櫛部２２の両側に位置する首部２０の幅を狭く形成するとともに、首部２０の上端部両側縁から、滑らかに湾曲しながら膨出するガイド面２４を備えたガイド板３２を突設すること。
【００３６】
・  図８（ｃ）に示されるように、蓋体１３の首部２０を省略し、嵌合筒１７の上面に櫛歯２１を突設すること。
このように構成した場合でも、内容物４１を蓋体１３の嵌合筒１７の上面に沿ってガイドしながら頭髪４２に塗布することが可能であることから、内容物４１が蓋体１３の外面に液だれして溜まるのを防止することができる。
【００３７】
・  蓋体１３の首部２０に絞り部２３を設けないこと。
・  蓋体１３を一体形成する代わりに、櫛部２２又は櫛部２２の一部と、それ以外の部分を構成する蓋体１３とを別体で成形した後に、両者を嵌合させて蓋体１３を製造すること。
【００３８】
・  櫛部２２に１０枚の櫛歯２１を設ける代わりに、７〜９枚、１１枚又は１２枚の櫛歯２１を設けること。
このように構成した場合でも、目的に応じて、適量の頭髪４２を一度に処理することが可能である。
【００３９】
・  容器本体１２を、例えば、有底三角筒状、有底四角筒状、有底六角筒状、有底八角筒状等の有底多角筒状、又は有底楕円筒状に形成すること。なお、前記有底多角筒状に形成された容器本体１２の各コーナ部は、丸みを帯びた形状に形成するのが好ましい。
【００４０】
このように構成した場合、目視しなくても櫛歯２１の向きを容易に把握することができ、特に後頭部側の頭髪４２を処理する際の作業性をより一層向上させることが可能である。
【００４１】
・  滑り止め部１４、滑り止め突条１９及び嵌合突部２６の少なくとも１種を省略して構成すること。
このように構成した場合、櫛付き容器１１の構成を簡略化することができる。
【００４２】
・  内容物４１として、例えば、シャンプー、リンス、コンディショナー、整髪剤、ヘアーリキッド、ヘアートニック、ラメ等を使用すること。
・  実施形態の容器本体１２をエアゾール容器に変更して構成すること。すなわち、このエアゾール容器は、耐圧性を有する容器内に加圧された状態の内容物４１が封入されており、押しボタンを押圧することによって弁を開き、内容物４１が噴出されるように構成されている。
【００４３】
・  実施形態の容器本体１２を二重容器に変更して構成すること。すなわち、この二重容器は、ともに可撓性を有する内容器と外容器とによって構成され、これら両容器は共有開口するように形成されているうえ、内容器のみに内容物４１が収容されるようになっている。さらに、外容器には空気流入用の逆止弁を設け、この逆止弁を介して内容器と外容器の間の空間に空気が流入するように構成されている。
【００４４】
このように構成した場合、外容器を押圧することによって、内容器が潰れて内容物４１が吐出される。そして、押圧を止めると、内容器と外容器の間の空間に、逆止弁を通して外部から空気が流入され、外容器は元の形状に復元する一方、内容器は潰れた状態を維持することができる。このため、使用の度に内容器は縮んでいき、内容物４１を最後まで確実に使い切ることができる。なお、内容器と外容器とを分離可能に構成し、少なくとも外容器を再利用できるようにしてもよい。
【００４５】
さらに、前記実施形態より把握できる技術的思想について以下に記載する。
（１）  前記櫛歯間の間隔を３．０〜５．０ｍｍに形成した請求項１から請求項３のいずれかに記載の櫛付き容器。
【００４６】
このように構成した場合、内容物の頭髪へのなじみとのびを良好にすることができる。
（２）  前記櫛部に７〜１２枚の櫛歯を設けた請求項１から請求項３及び前記（１）のいずれかに記載の櫛付き容器。
【００４７】
このように構成した場合、適量の頭髪を一度に処理することができる。
（３）  可撓性を有する材料により有底筒状に形成された容器本体と、その容器本体の上部開口部に嵌合される蓋体とから構成され、前記蓋体の上部に複数の櫛歯からなる櫛部を設けるとともに、その櫛歯に吐出孔を穿設し、容器本体内に充填された液状、クリーム状又はペースト状の内容物を吐出孔から吐出するように構成した櫛付き容器であって、前記内容物の液だれを蓋体の上面に沿ってガイドしながら頭髪に塗布するように、蓋体の上面をほぼ平坦面で構成した櫛付き容器。
【００４８】
このように構成した場合、内容物が蓋体の外面に液だれして溜まるのを防止することができ、内容物を有効に利用して無駄を少なくすることができる。
【００４９】
【発明の効果】
以上詳述したように、この発明によれば、次のような効果を奏する。
請求項１に記載の発明の櫛付き容器によれば、内容物が蓋体の外面に液だれして溜まるのを防止することができ、内容物を有効に利用して無駄を少なくすることができる。
【００５０】
請求項２に記載の発明の櫛付き容器によれば、請求項１に記載の発明の効果に加えて、内容物が蓋体の外面に液だれして溜まるのをさらに効果的に防止することができるとともに、成形された蓋体の不良を低減させることができる。
【００５１】
請求項３に記載の発明の櫛付き容器によれば、請求項１又は請求項２に記載の発明の効果に加えて、櫛付き容器の製造を容易かつ速やかに行うことができるとともに、その製造コストを低減させることができる。
【図面の簡単な説明】
【図１】  実施形態の櫛付き容器を示す斜視図。
【図２】  （ａ）は実施形態の櫛付き容器の一部を示す正面図、（ｂ）は同じく側面図、（ｃ）は同じく平面図。
【図３】  （ａ）は図２（ｃ）の３ａ―３ａ線から見た櫛付き容器を示す正断面図、（ｂ）は同じく図２（ｃ）の３ｂ−３ｂ線から見た側断面図。
【図４】  使用している状態の櫛付き容器の概略を示す部分拡大断面図。
【図５】  実施形態以外の櫛付き容器を示す正面図。
【図６】  （ａ）は実施形態以外の櫛付き容器を示す平面図、（ｂ）は同じく底面図。
【図７】  （ａ）は実施形態以外の櫛付き容器を示す左側面図、（ｂ）は同じく右側面図。
【図８】  （ａ）から（ｃ）はいずれも、実施形態以外の櫛付き容器の一部を示す側断面図。
【符号の説明】
１１…櫛付き容器、１２…容器本体、１３…蓋体、１５…容器本体の上部開口部を構成する開口筒、２０…首部、２１…櫛歯、２２…櫛部、２３…絞り部、２４…ガイド面、２７…吐出孔、４１…内容物、４２…頭髪。
【図１】
0004272307.tif 000002
【図２】
0004272307.tif 000003
【図３】
0004272307.tif 000004
【図４】
0004272307.tif 000005
【図５】
0004272307.tif 000006
【図６】
0004272307.tif 000007
【図７】
0004272307.tif 000008
【図８】
0004272307.tif 000009